【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】
ケーシングと、該ケーシング内に設けられ、鏡板に渦巻状のラップ部が立設された固定スクロールと、前記ケーシングに回転可能に設けられた駆動軸と、鏡板の表面側に前記固定スクロールのラップ部と重なり合って複数の圧縮室を画成する渦巻状のラップ部が立設された旋回スクロールと、該旋回スクロールの背面に設けられ、該旋回スクロールを前記駆動軸に対して旋回自在に支持する旋回軸受とを備えてなるスクロール式流体機械において、
前記旋回軸受の内周側には、前記旋回軸受を潤滑するためのグリース溜りを設ける構成としたことを特徴とするスクロール式流体機械。
【請求項２】
前記駆動軸の先端側にクランクを設け、該クランクの先端を前記旋回軸受の内周側に挿入し、該クランクの先端部に前記グリース溜りを設ける構成としてなる請求項１に記載のスクロール式流体機械。
【請求項３】
前記駆動軸には前記グリース溜りを開口させるための開口部を設け、該開口部は、前記駆動軸の径方向に対する断面形状をグリース収容部よりも小さく形成してなる請求項２に記載のスクロール式流体機械。
【請求項４】
前記開口部は前記駆動軸の回転中心に対して偏心した位置に配置してなる請求項３に記載のスクロール式流体機械。
【請求項５】
前記駆動軸には外部の空気を前記グリース溜り内に導くための空気導入路を設け、該空気導入路は前記駆動軸の回転中心に沿って配置する構成としてなる請求項１，２，３または４に記載のスクロール式流体機械。
【手続補正２】
【補正対象書類名】明細書
【補正対象項目名】０００９
【補正方法】変更
【補正の内容】
【０００９】
【課題を解決するための手段】
上述した課題を解決するために本発明によるスクロール式流体機械は、ケーシングと、該ケーシング内に設けられ、鏡板に渦巻状のラップ部が立設された固定スクロールと、前記ケーシングに回転可能に設けられた駆動軸と、鏡板の表面側に前記固定スクロールのラップ部と重なり合って複数の圧縮室を画成する渦巻状のラップ部が立設された旋回スクロールと、該旋回スクロールの背面に設けられ、該旋回スクロールを前記駆動軸のクランクに対して旋回自在に支持する旋回軸受とを備えている。
【手続補正３】
【補正対象書類名】明細書
【補正対象項目名】００１０
【補正方法】変更
【補正の内容】
【００１０】
そして、請求項１の発明が採用する構成の特徴は、旋回軸受の内周側には、旋回軸受を潤滑するためのグリース溜りを設ける構成としたことにある。
【手続補正４】
【補正対象書類名】明細書
【補正対象項目名】００１１
【補正方法】変更
【補正の内容】
【００１１】
このように構成したことにより、圧縮運転時には旋回軸受の温度が上昇し、この旋回軸受からの熱がグリース溜りに伝わることにより、グリース溜り内に充填したグリースは粘度が低下する。これによってグリースをグリース溜りから旋回スクロールの背面に設けた旋回軸受に供給することができる。
【手続補正５】
【補正対象書類名】明細書
【補正対象項目名】００１２
【補正方法】変更
【補正の内容】
【００１２】
また、請求項２の発明では、駆動軸の先端側にクランクを設け、該クランクの先端を前記旋回軸受の内周側に挿入し、該クランクの先端部にグリース溜りを設ける構成としている。
このように構成したことにより、圧縮運転時には旋回軸受の温度が上昇し、この旋回軸受からの熱がグリース溜りに伝わることにより、グリース溜り内に充填したグリースは粘度が低下する。これにより、グリースをグリース溜りから旋回スクロールの背面に設けた旋回軸受に供給することができる。
また、請求項３の発明では、駆動軸にはグリース溜りを開口させるための開口部を設け、該開口部は、前記駆動軸の径方向に対する断面形状をグリース収容部よりも小さく形成している。
【手続補正６】
【補正対象書類名】明細書
【補正対象項目名】００１４
【補正方法】変更
【補正の内容】
【００１４】
また、請求項４の発明では、開口部は駆動軸の回転中心に対して偏心した位置に配置している。
【手続補正７】
【補正対象書類名】明細書
【補正対象項目名】００１６
【補正方法】変更
【補正の内容】
【００１６】
さらに、請求項５の発明では、駆動軸には外部からの空気をグリース溜り内に導入するため該駆動軸内を回転中心に沿って延び、前記グリース溜り内に開口した空気導入路を設けている。
【手続補正８】
【補正対象書類名】明細書
【補正対象項目名】００２１
【補正方法】変更
【補正の内容】
【００２１】
３はケーシング１の小径部１Ｂ内に回転可能に軸支された駆動軸で、該駆動軸３は、鉄系材料によって段付の円柱状に形成され、その基端側には後述のプーリ１３が設けられ、軸線Ｏ1−Ｏ1を中心に回転駆動する。また、駆動軸３の先端側にはクランクピン３Ａが突設され、該クランクピン３Ａの軸線Ｏ2−Ｏ2は、軸線Ｏ1−Ｏ1に対して寸法δだけ偏心した位置に配置されている。
【手続補正９】
【補正対象書類名】明細書
【補正対象項目名】００２３
【補正方法】変更
【補正の内容】
【００２３】
４は駆動軸３の先端側に固着されたバランスウエイトで、該バランスウエイト４は、後述する旋回スクロール５の旋回動作に対して駆動軸３全体の回転バランスをとるものである。
【手続補正１０】
【補正対象書類名】明細書
【補正対象項目名】００２５
【補正方法】変更
【補正の内容】
【００２５】
そして、旋回スクロール５は、ラップ部６Ｂが固定スクロール２のラップ部２Ｂと所定角度（例えば１８０度）だけずらして重なり合うように配設され、両者のラップ部２Ｂ，６Ｂ間には複数の圧縮室７，７，…が画成される。そして、スクロール式空気圧縮機の運転時には、固定スクロール２の外周側に設けた吸込口８，８から外周側の圧縮室７内に空気を吸込みつつ、この空気を旋回スクロール５が旋回運動する間に各圧縮室７内で順次圧縮し、最後に中心側の圧縮室７から固定スクロール２の中心に設けた吐出口９を介して外部に圧縮空気を吐出する。
【手続補正１１】
【補正対象書類名】明細書
【補正対象項目名】００６７
【補正方法】変更
【補正の内容】
【００６７】
【発明の効果】
以上詳述した通り、請求項１の発明によれば、旋回軸受の内周側には該旋回軸受を潤滑するためのグリース溜りを設ける構成としたから、圧縮運転時には旋回軸受の温度が上昇し、この旋回軸受からの熱がグリース溜りに伝わることにより、グリース溜り内に充填したグリースは粘度が低下した際、グリースをグリース溜りから旋回スクロールの背面に設けた旋回軸受に供給することができる。また、旋回軸受を例えば内部空間容積が比較的小さいニードルベアリング、円筒コロ等によって構成した場合でも、旋回軸受の耐久性、寿命等を向上でき、装置の信頼性を高めることができる。
【手続補正１２】
【補正対象書類名】明細書
【補正対象項目名】００６８
【補正方法】変更
【補正の内容】
【００６８】
また、請求項２の発明によれば、駆動軸の先端側にクランクを設け、該クランクの先端を旋回軸受の内周側に挿入し、該クランクの先端部にはグリース溜りを設ける構成としたから、圧縮運転時にはグリース溜り内に充填したグリースの粘度が旋回軸受の温度上昇と共に低下することにより、このグリースを旋回軸受に供給することができ、該旋回軸受を常に潤滑状態に維持することができる。
これにより、旋回軸受を例えば内部空間容積が比較的小さいニードルベアリング、円筒コロ等によって構成した場合でも、旋回軸受の耐久性、寿命等を向上でき、装置の信頼性を高めることができる。また、従来技術で述べたように旋回軸受内に必要以上の多量のグリースを充填する必要がなくなり、グリースの撹拌抵抗による旋回軸受の性能低下を防止でき、該旋回軸受の性能を高めることができる。
【手続補正１３】
【補正対象書類名】明細書
【補正対象項目名】００６９
【補正方法】変更
【補正の内容】
【００６９】
また、請求項３の発明では、駆動軸にはグリース溜りを開口させるための開口部を設け、開口部の断面形状をグリース収容部よりも小さく形成する構成としたから、グリース溜り内に充填したグリースを開口部を通じて旋回軸受側に少しずつ供給することができ、グリース溜り内へのグリースの補給時期を延ばすことができる。
【手続補正１４】
【補正対象書類名】明細書
【補正対象項目名】００７０
【補正方法】変更
【補正の内容】
【００７０】
また、請求項４の発明では、開口部を駆動軸の回転中心に対して偏心した位置に配置する構成としたから、グリース溜り内のグリースを駆動軸の遠心力によって旋回軸受側に円滑に供給することができ、旋回軸受の潤滑性をさらに高めることができる。
【手続補正１５】
【補正対象書類名】明細書
【補正対象項目名】００７１
【補正方法】変更
【補正の内容】
【００７１】
さらに、請求項５の発明では、外部からの空気を空気導入路を通じてグリース溜りに導く構成としたから、グリース溜り内のグリースを旋回軸受側により円滑に供給することができ、旋回軸受の潤滑性を一層高めることができる。